(57)【要約】【課題】トリチウム水を含む軽水からトリチウム水を効率的に分離除去できるようにする。【解決手段】凍結槽２では、界面前進凍結法によって凍結トリチウム水の結晶９を層状に析出させながら、同時に、その結晶の少なくとも一部をスクレーパー１０で掻き取り除去し、除去した凍結トリチウム水の結晶９ａを含む汚染水を、熟成槽３に供給し、凍結トリチウム水の結晶を成長させ、成長した凍結トリチウム水の結晶９ｂを含む汚染水を、固液分離装置４で凍結トリチウム水の結晶と汚染水とに分離し、汚染水は、循環ポンプ５を介して凍結槽２へ戻すようにしている。【選択図】図１
2015112589.tif 000002
【特許請求の範囲】
【請求項１】
トリチウム水を含む軽水から前記トリチウム水を分離除去する装置であって、
前記トリチウム水を含む前記軽水を冷却して、前記トリチウム水を凍結させる凍結槽と、分離手段とを備え、
前記凍結槽は、冷却されて凍結した凍結トリチウム水の結晶が層状に析出する冷却面を有すると共に、前記冷却面に析出した凍結トリチウム水の結晶の少なくとも一部の結晶を物理的に除去する除去手段を有し、
前記分離手段は、前記除去手段によって除去された凍結トリチウム水の結晶又は該結晶を成長させた結晶を含む軽水を、凍結トリチウム水の結晶と軽水とに分離する、
ことを特徴とするトリチウム水の分離除去装置。
【請求項２】
前記除去手段によって除去された凍結トリチウム水の結晶を含む前記軽水が、前記凍結槽から供給されると共に、供給された凍結トリチウム水の結晶を成長させる熟成槽を備え、
前記分離手段は、前記熟成槽から供給される成長した凍結トリチウム水の結晶を含む軽水を、凍結トリチウム水の結晶と軽水とを分離するものであり、
前記除去手段は、前記冷却面に析出した前記凍結トリチウム水の結晶を掻き取る掻き取り部材を有する、
請求項１に記載のトリチウム水の分離除去装置。
【請求項３】
前記熟成槽は、真空断熱槽である、
請求項２に記載のトリチウム水の分離除去装置。
【請求項４】
前記分離手段によって前記凍結トリチウム水の結晶が分離された前記軽水を、前記凍結槽に戻して循環させる循環手段を備える、
請求項１ないし３のいずれかに記載のトリチウム水の分離除去装置。
【請求項５】
トリチウム水を含む軽水から前記トリチウム水を分離除去する方法であって、  前記トリチウム水を含む前記軽水を冷却して、前記トリチウム水を凍結させる凍結  工程と、分離工程とを備え、
前記凍結工程は、冷却されて凍結した凍結トリチウム水の結晶を層状に析出さ  せる共に、析出する凍結トリチウム水の結晶の少なくとも一部の結晶を物理的に除  去する除去工程を含み、
前記分離工程は、前記除去工程で除去された凍結トリチウム水の結晶又は該結晶を成長させた結晶を含む軽水を、凍結トリチウム水の結晶と軽水とに分離する、
ことを特徴とするトリチウム水の分離除去方法。
【発明の詳細な説明】
【技術分野】
【０００１】
本発明は、トリチウム水（三重水素水：ＨＴＯ）を含む軽水、例えば、放射能によって汚染された汚染水からトリチウム水を分離除去するのに好適な装置及び方法に関する。
【背景技術】
【０００２】
東日本大震災に伴う福島第一原子力発電所の事故において、燃料の緊急冷却に利用した高線量の放射性物質を大量に含んだ海水を含む汚染水の処理が問題となっている。
【０００３】
この放射能によって汚染された汚染水の処理設備として、多核種除去設備（ALPS：Advanced Liquid Processing System）が用いられ、６２種の放射性物質の除去が可能となっているが、放射性物質であるトリチウムを除くことはできず、多核種除去設備（ALPS）で処理された処理済水は、トリチウム水を含んだままタンク等に貯蔵されている。この汚染水は、１日に４００トン〜５００トンに上っており、多核種除去設備（ALPS）で処理された多量の処理済水から放射性物質であるトリチウムを効率的に除くことが喫緊の課題となっている。
【０００４】
従来、通常の水、いわゆる、軽水からトリチウム水を分離する技術として、例えば、特許文献１には、トリチウム水の凝固点である４．４９℃に冷却された逆円錐形の収集容器の上部開口からトリチウム水を含む軽水を注ぎ、収集容器の内壁面でトリチウム水を凍結させて、凝固点が０℃である軽水と分離し、収集容器の内壁面に凍結したトリチウム水は、前記収集容器を加熱することによって融解させて取り除くようにしている。
【先行技術文献】
【特許文献】
【０００５】
【特許文献１】特表２００８−５０３３３６号公報
【発明の概要】
【発明が解決しようとする課題】
【０００６】
上記特許文献１では、収集容器を冷却してトリチウム水を凍結させた後に、凍結したトリチウム水を取り除くために、収集容器を加熱して凍結したトリチウム水を融解させなければならない。このため、収集容器を冷却してトリチウム水を凍結させる処理と、前記収集容器を加熱して凍結したトリチウム水を融解させて取り除く処理とを切換えて行わねばならず、効率の悪いものである。
【０００７】
本発明は、上記のような点に鑑みてなされたものであって、トリチウム水を含む軽水からトリチウム水を効率的に分離除去できるようにすることを目的とする。
【課題を解決するための手段】
【０００８】
上記目的を達成するために、本発明では次のように構成している。
【０００９】
（１）本発明に係るトリチウム水の分離除去装置は、トリチウム水を含む軽水から前記トリチウム水を分離除去する装置であって、前記トリチウム水を含む前記軽水を冷却して、前記トリチウム水を凍結させる凍結槽と、分離手段とを備え、前記凍結槽は、冷却されて凍結した凍結トリチウム水の結晶が層状に析出する冷却面を有すると共に、前記冷却面に析出した凍結トリチウム水の結晶の少なくとも一部の結晶を物理的に除去する除去手段を有し、前記分離手段は、前記除去手段によって除去された凍結トリチウム水の結晶又は該結晶を成長させた結晶を含む軽水を、凍結トリチウム水の結晶と軽水とに分離する。
【００１０】
前記除去手段は、冷却面に層状に析出した凍結トリチウム水の結晶の少なくとも一部を除去できればよく、析出した凍結トリチウム水の結晶の全てを除去するものであってもよい。この除去手段は、少なくとも一部の結晶を、物理的に、例えば、掻き取りや衝撃などによって除去する。
【００１１】
前記分離手段は、前記除去手段によって除去された凍結トリチウム水の結晶を含む軽水を、凍結トリチウム水の結晶と軽水とに分離するものであってもよいし、前記除去手段によって除去された凍結トリチウム水の結晶を成長させた後に、成長させたトリチウム水の結晶を含む軽水を、凍結トリチウム水の結晶と軽水とに分離するものであってもよい。
【００１２】
本発明によると、凍結槽では、トリチウム水を含む軽水を冷却して、凍結槽の冷却面に、凍結した凍結トリチウム水の結晶を層状に析出させる、いわゆる、界面前進凍結法によって凍結トリチウム水の結晶を析出させ、層状に析出した凍結トリチウム水の結晶の少なくとも一部を物理的に除去し、除去した凍結トリチウム水の結晶又は該結晶を成長させた結晶を含む軽水を、分離手段によって、凍結トリチウム水の結晶と軽水とに分離することができる。
【００１３】
このように、凍結槽では、界面前進凍結法によって凍結トリチウム水の結晶を層状に析出させながら、同時に、その結晶の少なくとも一部の結晶を除去し、除去した凍結トリチウム水の結晶を含む軽水から凍結トリチウム水の結晶を分離手段で分離するので、凍結槽における凍結トリチウム水の結晶の析出及び除去と、分離手段における除去した凍結トリチウム水の結晶を含む軽水からの凍結トリチウム水の結晶の分離とを、同時並行的に行うことができるので、トリチウム水を含む軽水から、トリチウム水を凍結結晶として効率的に除去することができる。
【００１４】
しかも、従来例のように、凍結したトリチウム水を取り除くために、加熱して凍結したトリチウム水を融解させる必要がない。
【００１５】
（２）本発明の好ましい実施態様では、前記除去手段によって除去された凍結トリチウム水の結晶を含む前記軽水が、前記凍結槽から供給されると共に、供給された凍結トリチウム水の結晶を成長させる熟成槽を備え、前記分離手段は、前記熟成槽から供給される成長した凍結トリチウム水の結晶を含む軽水を、凍結トリチウム水の結晶と軽水とに分離するものであり、前記除去手段は、前記冷却面に析出した前記凍結トリチウム水の結晶を掻き取る掻き取り部材を有する。
【００１６】
この実施態様によると、凍結槽では、除去手段の掻き取り部材によって、冷却面に層状に析出した凍結トリチウム水の結晶の少なくとも一部の結晶を掻き取って物理的に除去し、掻き取ったトリチウム水の結晶を含む軽水を、熟成槽に供給して結晶を成長させるので、分離手段による凍結トリチウム水の結晶の分離が容易になるとともに、一層効率的にトリチウム水を分離除去することができる。
【００１７】
（３）本発明の他の実施態様では、前記熟成槽は、真空断熱槽である。
【００１８】
この実施態様によると、凍結槽から凍結トリチウム水の結晶を含む軽水が供給される熟成槽は、真空断熱槽であるので、熟成槽を冷却することなく、凍結トリチウム水の結晶の成長に必要な温度に保持することが可能となり、省エネルギーを図ることができる。
【００１９】
（４）本発明の更に他の実施態様では、前記分離手段によって前記凍結トリチウム水の結晶が分離された前記軽水を、前記凍結槽に戻して循環させる循環手段を備える。
【００２０】
この実施態様によると、分離手段で分離された軽水にトリチウム水が残存し、排出基準を上回るような場合には、前記軽水を凍結槽に戻して循環させることによって、軽水に残存するトリチウム水を更に除去して、前記排出基準以下とすることができる。
【００２１】
（５）本発明に係るトリチウム水の分離除去方法は、トリチウム水を含む軽水から前記トリチウム水を分離除去する方法であって、前記トリチウム水を含む前記軽水を冷却して、前記トリチウム水を凍結させる凍結工程と、分離工程とを備え、前記凍結工程は、冷却されて凍結した凍結トリチウム水の結晶を層状に析出させる共に、析出する凍結トリチウム水の結晶の少なくとも一部の結晶を物理的に除去する除去工程を含み、前記分離工程は、前記除去工程で除去された凍結トリチウム水の結晶又は該結晶を成長させた結晶を含む軽水を、凍結トリチウム水の結晶と軽水とに分離する。
【００２２】
本発明によると、界面前進凍結法によって凍結トリチウム水の結晶を層状に析出させながら、同時に、その結晶の少なくとも一部の結晶を除去し、除去した凍結トリチウム水の結晶を含む軽水から凍結トリチウム水の結晶を分離するので、凍結工程おける凍結トリチウム水の結晶の析出及び除去と、分離工程における除去した凍結トリチウム水の結晶を含む軽水からの、凍結トリチウム水の結晶の分離とを、同時並行的に行うことができるので、トリチウム水を含む軽水から、トリチウム水を凍結結晶として効率的に除去することできる。
【００２３】
しかも、従来例のように、凍結したトリチウム水を取り除くために、加熱して凍結したトリチウム水を融解させる必要がなく、トリチウム水を含む軽水から効率的にトリチウム水を分離除去することが可能となる。
【発明の効果】
【００２４】
このように、本発明によれば、凍結槽では、界面前進凍結法によって凍結トリチウム水の結晶を層状に析出させながら、同時に、その結晶の少なくとも一部を除去し、分離手段によって、除去した凍結トリチウム水と軽水とに分離することができるので、凍結槽における凍結トリチウム水の結晶の析出及び除去と、分離手段における除去した凍結トリチウム水の結晶を含む軽水からの、凍結トリチウム水の結晶の分離とを、同時並行的に行うことができるので、トリチウム水を含む軽水から、トリチウム水を凍結結晶として効率的に除去することができる。しかも、従来例のように、凍結したトリチウム水を取り除くために、加熱して凍結したトリチウム水を融解させる必要がない。
【図面の簡単な説明】
【００２５】
【図１】本発明の一実施形態に係るトリチウム水の分離除去装置の概略構成図である。
【図２】本発明の他の実施形態に係るトリチウム水の分離除去装置の概略構成図である。
【発明を実施するための形態】
【００２６】
以下、本発明の実施の形態について図面を参照しながら説明する。
【００２７】
図１は、本発明の一実施形態に係るトリチウム水の分離除去装置の概略構成図である。
【００２８】
この実施形態のトリチウム水の分離除去装置１は、トリチウム水を含む軽水として、例えば、多核種除去設備（ALPS）等の多核種除去手段によりトリチウム以外の放射性物質は除去された汚染水が、被処理水として供給される凍結槽２と、この凍結槽２で凍結した凍結トリチウム水の結晶を成長させる熟成槽３と、凍結した凍結トリチウム水の結晶を含む汚染水を、凍結トリチウム水の結晶と汚染水とに分離する分離手段としての固液分離装置４と、この固液分離装置４で分離された汚染水を前記凍結槽２に供給する循環ポンプ５とを備える。
【００２９】
大略円筒形の凍結槽２は、その外周面に冷却ジャケット２ａが設けられており、図示しない冷却装置からの冷媒が循環供給される。これによって、凍結槽２内は、トリチウム水の凝固点よりも低い温度、例えば、４℃程度に冷却される。
【００３０】
凍結槽２の下部には、多核種除去手段によりトリチウム以外の放射性物質が除去された汚染水、すなわち、トリチウム水を含む汚染水を、当該凍結槽２へ供給するための供給管路６が接続され、この供給管路６の途中には、循環ポンプ５が設けられた循環管路１２の戻り管路７が接続されている。多核種除去手段から凍結槽２に供給される汚染水に含まれるトリチウム水の濃度は、希薄であり、例えば、ｐｐｂオーダーである。
【００３１】
凍結槽２の上部には、凍結した凍結トリチウム水の結晶を含む汚染水を、熟成槽３へ供給するための循環管路１２の往き管路８が接続されている。
【００３２】
凍結槽２では、汚染水を冷却する冷却ジャケット２ａに対応する内壁面（冷却面）に、冷却されたトリチウム水が凍結し、層状に析出する。すなわち、冷却面である内壁面からトリチウム水の結晶を層状に成長させる、いわゆる、界面前進凍結法を用いて、汚染水と、それに含まれるトリチウム水とを分離するものである。
【００３３】
凍結槽２内には、凍結して内壁面に層状に析出した凍結トリチウム水の結晶部分９の表面から、その一部の結晶９ａを物理的に除去する、この実施形態では、層状に析出したトリチウム水の結晶部分９の表面から、一部の結晶９ａを掻き取る掻き取り部材としてのヘラ状のスクレーパー１０が設けられており、このスクレーパー１０が、掻き取りモータ１１によって回転駆動される。スクレーパー１０は、ヘラ状に限らず、スクリュー状、ブラシ状やその他の形状であってもよい。このスクレーパーの回転速度は、凍結トリチウム水の結晶の内壁面への析出を妨げないように適宜選択される。
【００３４】
このスクレーパー１０によって前記結晶部分９から掻き取られた結晶９ａを含む汚染水は、循環管路１２の往き管路８を介して熟成槽３に供給される。大略円筒状の熟成槽３は、内槽３ａと外槽３ｂとを備え、その間が真空とされた真空断熱槽である。熟成槽３には、攪拌羽根１４と、この攪拌羽根１４を回転駆動する攪拌モータ１５とからなる攪拌機が装備されている。
【００３５】
凍結槽２から供給された凍結トリチウム水の結晶９ａを含む汚染水は、真空断熱槽からなる熟成槽３によって、トリチウム水の凝固点近傍の温度、例えば、４℃程度に保持され、この熟成槽３において、凍結したトリチウム水の結晶９ａが成長する。すなわち、熟成槽３では、凍結槽２から供給された凍結トリチウム水の結晶が、核となって結晶が成長し、サイズの大きな結晶９ｂとなる。
【００３６】
熟成槽３の下部は、排出管路１３に接続され、この排出管路１３は、上記の固液分離装置４が設けられている。この固液分離装置４は、例えば、濾過装置や遠心分離装置などの公知の装置である。
【００３７】
固液分離装置４では、熟成槽３から排出される凍結トリチウム水の結晶９ｂを含む汚染水を、凍結トリチウム水の結晶と汚染水とに分離する。凍結トリチウム水の結晶は、熟成槽３で粒径の大きな結晶に成長しているので、分離が容易である。
【００３８】
固液分離装置４で分離された凍結トリチウム水の結晶は、例えば、タンク等に貯蔵され、汚染水は、戻り管路７の循環ポンプ５を介して凍結槽２の下部へ戻される。
【００３９】
この循環ポンプ５と、往き管路８及び戻り管路７からなる循環管路１２とによって、汚染水を、凍結槽２と熟成槽３との間で循環させる循環手段が構成される。
【００４０】
この実施形態のトリチウム水の分離除去装置１では、例えば、次のようにして汚染水からのトリチウム水の分離除去が行われる。先ず、凍結槽２に、供給管路６を介して多核種除去手段でトリチウム以外の放射性物質が除去された汚染水が、供給される。供給された汚染水は、トリチウム水の凝固点より低い４℃程度に冷却されている凍結槽２で冷却され、汚染水に含まれるトリチウム水が、凍結して冷却ジャケット２ａ近傍の内壁面に、凍結トリチウム水の結晶が層状に析出する。
【００４１】
層状に析出した凍結トリチウム水の結晶部分９が内方へ向かって成長すると、回転するスクレーパー１０によって、その表面の結晶が掻き取られる。掻き取られた凍結トリチウム水の結晶９ａを含む汚染水は、往き管路８を介して熟成槽３へ供給される。このとき、熟成槽３の下部の排出管路１３の開閉弁（図示せず）が制御されて、熟成槽３は、汚染水で満たされ、その後、熟成槽３に汚染水が満たされた状態を維持しながら、固液分離装置４へ汚染水が排出される。
【００４２】
真空断熱槽である熟成槽３では、掻き取られたトリチウム水の結晶９ａを含む汚染水は、４℃程度の温度に保持され、この間に、トリチウム水の結晶が成長し、サイズの大きな結晶９ｂとなる。
【００４３】
熟成槽３で成長した凍結トリチウム水の結晶９ｂを含む汚染水は、固液分離装置４へ排出され、固液分離装置４では、凍結トリチウム水の結晶を除去、つまり凍結トリチウム水の結晶と凍結トリチウム水の結晶が除去された汚染水とに分離される。除去されたトリチウム水の結晶は、タンク等に貯蔵される。凍結トリチウム水の結晶が除去された汚染水は、循環管路１２の戻り管路７の循環ポンプ５を介して凍結槽２に戻される。
【００４４】
このよにうして凍結槽２、熟成槽３、及び、両者間の循環管路１２に汚染水が満たされた後に、供給管路６の開閉弁（図示せず）が制御されて、多核種除去手段からの汚染水の新たな供給を一旦遮断し、汚染水を、凍結槽２と熟成槽３との間で循環管路１２を介して循環させる。
【００４５】
これによって、凍結槽２では、汚染水に含まれるトリチウム水を凍結させて内壁面に層状に結晶を析出させ、その結晶の一部を掻き取って汚染水と共に、熟成槽３へ供給し、熟成槽３では、供給されたトリチウム水の結晶を成長させ、固液分離装置４では、トリチウム水の結晶を分離して回収とするというサイクルを、例えば、所要時間に亘って、あるいは、汚染水に残存するトリチウム水が排出基準以下となるまで繰り返す。
【００４６】
このようにして汚染水に含まれるトリチウム水を除去し、トリチウム水が除去された処理済水を、循環管路１２の図示しない排出口から排出し、貯蔵タンクに貯蔵する。
【００４７】
その後、トリチウム以外の放射性物質が除去された汚染水を、再び、凍結槽２に供給して、上記と同様の処理を行い、汚染水に含まれるトリチウム水を除去する。
【００４８】
なお、汚染水を、凍結槽２と熟成槽３との間で循環管路１２を介して循環させながら、トリチウム水が除去された一部の処理済水を循環管路１２から排出する一方、排出した処理済水に対応する水量の汚染水を、多核種除去手段から凍結槽２に供給するようにしてもよい。
【００４９】
以上のように本実施形態によれば、凍結槽２では、界面前進凍結法によって凍結トリチウム水の結晶を層状に析出させながら、同時に、その結晶の少なくとも一部の結晶を除去し、除去した凍結トリチウム水の結晶を含む汚染水を熟成槽３に供給し、熟成槽３で凍結トリチウム水の結晶を成長させた後、汚染水に含まれる凍結トリチウム水の結晶を分離除去するので、凍結槽２における凍結トリチウム水の結晶の析出、掻き取り、熟成槽３における凍結トリチウム水の結晶の成長、及び、固液分離装置４における汚染水からの凍結トリチウム水の分離とを、同時並行的に行うことができるので、トリチウム水を含む汚染水からトリチウム水を凍結結晶として効率的に除去することができる。
【００５０】
したがって、１日に４００トン〜５００トンといった多量の処理が必要な放射能汚染水からのトリチウム水の除去に好適である。しかも、汚染水からのトリチウム水の除去は、凍結槽２、熟成槽３、固液分離装置４及びそれらを連結する管路といった密閉した系内で行うことができるので、作業員の被爆の低減に有効である。
【００５１】
更に、従来例のように、凍結したトリチウム水を取り除くために、加熱して凍結したトリチウム水を融解させる必要がなく、一層効率的である。
【００５２】
なお、汚染水に、トリチウム水以外に重水が含まれている場合には、重水もトリチウム水の凝固点近傍の温度で凍結するので、トリチウム水と共に、重水も併せて除去することができる。
【００５３】
図２は、本発明の他の実施形態に係るトリチウム水の分離除去装置の概略構成図であり、図１に対応する部分には、同一の参照符号を付す。
【００５４】
上記図１の実施形態では、汚染水を、凍結槽２と熟成槽３との間で循環管路１２を介して循環させてトリチウム水を除去したけれども、この実施形態では、汚染水を循環させることなく、トリチウム水を除去するものである。
【００５５】
この実施形態のトリチウム水の分離除去装置１1では、凍結槽２1は、図１の凍結槽２に比べて縦長に構成され、その外周に設けられる冷却ジャケット２ａも縦長に構成される。したがって、凍結槽２1に供給されるトリチウム水を含む汚染水を冷却して、凍結した凍結トリチウム水が層状に析出する冷却面である内壁面は、図１の凍結槽２に比べて縦方向（上下方向）に長くなっている。これに応じて、内壁面に層状に析出する凍結トリチウム水の結晶部分９から結晶を掻き取るヘラ状のスクレーパー１０1も縦長となっている。
【００５６】
これによって、凍結槽２1では、図１の凍結槽２に比べて、トリチウム水を含む汚染水から、より多くのトリチウム水を凍結させて凍結トリチウム水の結晶を層状に析出させることができる共に、スクレーパー１０によって、より多くの凍結トリチウム水の結晶９ａを掻き取ることができる。
【００５７】
凍結槽２1で掻き取られた凍結トリチウム水の結晶９ａを含む汚染水は、送液管路１６の送液ポンプ１７を介して熟成槽３1に供給される。この実施形態の熟成槽３1は、図１の熟成槽３に比べて容量が大きくなっている。この熟成槽３に、凍結トリチウム水の結晶を含む汚染水がほぼ満たされた状態を保持しながら、下部の排出管路４を介して固液分離装置４へ排出する。
【００５８】
熟成槽３1では、図１の熟成槽３に比べて、凍結トリチウム水の結晶を含む汚染水を、より多量に保持することができるので、この熟成槽３1において、凍結トリチウム水の結晶を成長させる時間を長く確保することができ、より大きなサイズの凍結トリチウム水の結晶９ｂを生成することができる。
【００５９】
このように、凍結槽２1では、より多くの凍結トリチウム水の結晶を析出させて、より多くの凍結トリチウム水の結晶を掻き取ることができ、熟成槽３1では、掻き取った凍結トリチウム水の結晶を核として、結晶成長させる時間をより長く確保できることになる。
【００６０】
これによって、固液分離装置４において、熟成槽３1の下部から排出される凍結トリチウム水の結晶を含む汚染水を、凍結トリチウム水の結晶と、トリチウム水が除去された汚染水とに分離したときに、分離した処理済水は、排出基準を満たすことができ、凍結槽２１に戻す必要がない。
【００６１】
(その他の実施形態)
本発明の他の実施形態として、熟成槽の数を増やし、複数の熟成槽で結晶成長させた後に、固液分離装置によって、凍結トリチウム水の結晶と汚染水とを分離してもよい。
【００６２】
また、凍結槽、熟成槽及び固液分離装置からなる組を複数組備える構成とし、最初の組で分離された汚染水を、次の組の凍結槽に供給するといった多段構成としてもよい。
【００６３】
熟成槽は、真空断熱槽に代えて、トリチウム水の結晶が成長する温度に冷却するようにしてもよい。
【００６４】
熟成槽を省略し、凍結槽からの凍結トリチウム水の結晶を含む汚染水を、固液分離装置によって、凍結トリチウム水の結晶と汚染水とに分離するようにしてもよい。この場合、固液分離装置で分離した汚染水を、再び凍結槽に戻し、汚染水を、凍結槽と固液分離装置との間で循環させるようにしてもよいし、あるいは、凍結槽及び固液分離装置からなる組を複数組備える構成とし、最初の組で分離された汚染水を、次の組の凍結槽に供給するといった多段構成としてもよい。
【００６５】
上記実施形態では、トリチウム水を含む軽水として、多核種除去設備（ALPS）等の多核種除去手段でトリチウム以外の放射性物質が除去された汚染水に適用して説明したが、この汚染水に限らず、トリチウム水を含む軽水であればよい。
【符号の説明】
【００６６】
１，１1          トリチウム水の分離除去装置
２，２1          凍結槽
３，３1          熟成槽
４               固液分離装置
５               循環ポンプ
７               戻り管路
８               往き管路
９ａ，９ｂ       凍結トリチウム水の結晶
１０             スクレーパー
１２             循環管路
【図１】
2015112589.tif 000003
【図２】
2015112589.tif 000004